(57)【要約】【課題】バックライト光源の輝度が変化に伴って、表示された画像に対するユーザによる色の見え方の変化を低減する。【解決手段】表示装置は、画像データに対応する画像を生成する画像生成手段１０１、８０１と、画像生成手段１０１、８０１に対して照明光を照射する照明手段１０２、８０２と、照明光の輝度を変更する輝度変更手段９、１１と、画像生成手段１０１、８０１の色特性と照明光の輝度とに基づいて、画像データに対して色変換を施す色変換手段４と、色変換された画像データに対応する画像の見え方が、基準となる視環境における画像の見え方に近づくように、色変換された画像データの色を補正する色補正手段４とを備える。【選択図】図２
2010091596.tif 000002
【特許請求の範囲】
【請求項１】
画像データに対応する画像を生成する画像生成手段と、
前記画像生成手段に対して照明光を照射する照明手段と、
前記照明光の輝度を変更する輝度変更手段と、
前記画像生成手段の色特性と前記照明光の輝度とに基づいて、前記画像データに対して色変換を施す色変換手段と、
前記色変換された画像データに対応する画像の見え方が、基準となる視環境における画像の見え方に近づくように、前記色変換された画像データの色を補正する色補正手段とを備えることを特徴とする表示装置。
【請求項２】
請求項１に記載の表示装置において、
周囲輝度を検出する輝度検出手段をさらに備え、
前記輝度検出手段により検出された前記周囲輝度に応じて、前記輝度変更手段は前記照明光の輝度を変更することを特徴とする表示装置。
【請求項３】
請求項１または２に記載の表示装置において、
前記色補正手段は、前記色変換された画像データに対して、少なくとも階調補正処理および白色点補正処理を施すことを特徴とする表示装置。
【請求項４】
被写体像を撮像して画像信号を出力する撮像素子と、
請求項１に記載の表示装置とを備えることを特徴とする撮像装置。
【請求項５】
請求項４に記載の撮像装置において、
周囲輝度を検出する輝度検出手段をさらに備え、
前記輝度検出手段により検出された前記周囲輝度に応じて、前記輝度変更手段は前記照明光の輝度を変更することを特徴とする撮像装置。
【請求項６】
請求項５に記載の撮像装置において、
前記輝度検出手段は、前記撮像素子から出力された画像信号を用いて前記周囲輝度を検出することを特徴とする撮像装置。
【請求項７】
請求項５に記載の撮像装置において、
撮影環境に基づいて撮影条件を設定するための操作部材を更に備え、
前記輝度検出手段は、前記設定された撮影条件に基づいて前記周囲輝度を検出することを特徴とする撮像装置。
【請求項８】
請求項４乃至７のいずれか一項に記載の撮像装置において、
前記色補正手段は、前記色変換された画像データに対して、少なくとも階調補正処理および白色点補正処理を施すことを特徴とする撮像装置。
【請求項９】
請求項１に記載の表示装置と、
前記照明光により照射された前記画像生成手段の前記画像を投射する光学系とを備えることを特徴とするプロジェクタ。
【請求項１０】
請求項９に記載のプロジェクタにおいて、
周囲輝度を検出する輝度検出手段をさらに備え、
前記輝度検出手段により検出された前記周囲輝度に応じて、前記輝度変更手段は前記照明光の輝度を変更することを特徴とするプロジェクタ。
【請求項１１】
請求項１０に記載のプロジェクタにおいて、
前記投射された画像が投射される投射面を撮像し、投射面データを取得する撮像手段をさらに備え、
前記輝度検出手段は、前記撮像手段により取得された前記投射面データを用いて前記周囲輝度を検出することを特徴とするプロジェクタ。
【請求項１２】
請求項９乃至１１に記載のプロジェクタにおいて、
前記色補正手段は、前記色変換された画像データに対して、少なくとも階調補正処理および白色点補正処理を施すことを特徴とするプロジェクタ。
【発明の詳細な説明】
【技術分野】
【０００１】
本発明は、表示装置、撮像装置およびプロジェクタに関する。
【背景技術】
【０００２】
従来から、周囲輝度に応じてバックライト光源の輝度を変化させるとともに、バックライト光源の輝度変化に伴って変化した色味を打ち消すように色補正を行う表示装置が知られている（たとえば特許文献１）。
【特許文献１】特開２００１−１１７０７１号公報
【発明の開示】
【発明が解決しようとする課題】
【０００３】
しかしながら、バックライト光源の輝度が変化しているので、表示された画像等に対するユーザによる色の見え方が変化するという問題がある。
【課題を解決するための手段】
【０００４】
請求項１に記載の発明による表示装置は、画像データに対応する画像を生成する画像生成手段と、画像生成手段に対して照明光を照射する照明手段と、照明光の輝度を変更する輝度変更手段と、画像生成手段の色特性と照明光の輝度とに基づいて、画像データに対して色変換を施す色変換手段と、色変換された画像データに対応する画像の見え方が、基準となる視環境における画像の見え方に近づくように、色変換された画像データの色を補正する色補正手段とを備えることを特徴とする。
【発明の効果】
【０００５】
本発明によれば、照明光の輝度変更により変化した画像の見え方を、基準となる視環境における画像の見え方に近づくように画像データを補正できる。
【発明を実施するための最良の形態】
【０００６】
以下、図面を参照して本発明を実施するための最良の形態について説明する。図１はデジタルカメラの背面側を示す図である。デジタルカメラの上面に設けられたファインダ２１にはＥＶＦ１０が備えられている。一方、表示用ＬＣＤ８はカメラ背面に設けられている。撮影を行う撮影モード時にモニタボタン１２０を操作することで、スルー画表示を行うモニタとして、ＥＶＦ１０および表示用ＬＣＤ８のいずれかを選択することができる。また、表示用ＬＣＤ８やＥＶＦ１０にはメニュー画面が表示される。
【０００７】
図２は本発明によるデジタルカメラの一実施の形態を示すブロック図である。デジタルカメラは、撮像光学系１、撮像素子２、制御回路４、ＤＲＡＭ６、フラッシュメモリ７、表示用ＬＣＤ８、ＬＣＤ駆動回路９、ＥＶＦ（電子ビューファインダ）１０、ＥＶＦ駆動回路１１、操作部１２、メモリカードスロット１３、操作スイッチ群１６を備えている。ＥＶＦ１０にはＬＣＤ（液晶表示装置）が用いられている。また、メモリカードスロット１３には、不揮発性記憶媒体であるメモリカード１４が着脱可能に装着されている。
【０００８】
撮影光学系１を通過した被写体光は、撮像素子２上に結像される。撮像素子２にはＣＣＤセンサやＣＭＯＳセンサなどのエリアセンサが用いられ、被写体像の明るさに応じた光電変換信号（撮像信号）を制御回路４へ出力する。なお、撮像素子２の撮像面には、それぞれＲ（赤）、Ｇ（緑）およびＢ（青）のカラーフィルタが画素位置に対応するように設けられている。撮像素子２はカラーフィルタを通して被写体像を撮像するため、撮像素子２から出力される撮像信号は、それぞれＲＧＢ表色系の色情報を有する。
【０００９】
制御回路４は、マイクロプロセッサおよびその周辺回路により構成され、カメラ全体の制御等の各種演算処理を行う。制御回路４は、入力した撮像信号をデジタル信号に変換して、ホワイトバランス（ＷＢ）処理、補間処理、階調補正処理、色補正処理、フォーマット変換、圧縮処理等を施し画像データを生成する。また、制御回路４は、生成した画像データを用いて焦点調節処理、デジタルカメラの周囲輝度（明るさ）等の算出処理を行う。操作部１２に設けられたレリーズボタン（不図示）が全押しされると撮影処理が実行され、制御回路４により生成された画像データは、メモリカードスロット１３に装着されたメモリカード１４に記録される。
【００１０】
操作部１２には、モニタボタン１２０、不図示のレリーズボタン、メニューボタン、電源ボタン等の操作部材が設けられている。操作スイッチ群１６には、操作部１２に設けられた操作部材の操作に連動してオンオフする複数のスイッチが設けられている。制御回路４は、操作スイッチ群１６に設けられたスイッチの状態を検出し、その検出結果に基づいて各種制御を行う。ＤＲＡＭ６は、画像処理や画像圧縮処理等の処理途中や処理後のデータを一時的に格納するためのバッファメモリとして用いられる揮発性記録媒体である。
【００１１】
ＥＶＦ１０は、撮像素子２で撮像された画像をスルー画として逐次表示するファインダ装置である。ＥＶＦ１０は、ＥＶＦ駆動回路１１から出力される駆動信号によって駆動制御される。一方、カメラボディの背面に設けられた表示用ＬＣＤ８は、撮像素子２から出力される撮像信号に対応する撮像画像やスルー画（ライブビュー）の表示、メモリカード１３に記録された画像データに対応する画像データの再生画像の表示、各種設定画面の表示などに用いられる。表示用ＬＣＤ８は、ＬＣＤ駆動回路９によって駆動制御される。
【００１２】
撮影を行う場合、ＥＶＦ１０または表示用ＬＣＤ８に表示されたスルー画を参考に、ユーザは構図の設定を行う。その際、ユーザの好みに応じた情報画像を、撮影画像に重畳表示させることができる。情報画像には、絞り値、シャッタ秒時、連写または単写の設定、シーンモード等の撮影条件に関する情報表示や、グリッドパターンやポートレートモードの人物枠等の撮影を補助するための補助情報などの表示が含まれる。
【００１３】
ＥＶＦ１０は、液晶パネル１０１と光源１０２とを備える。液晶パネル１０１は、たとえば透過型の液晶パネルであり、赤、緑、青のフィルターが形成された複数の画素から構成されている。液晶パネル１０１は、制御回路４からの駆動信号に応じてＥＶＦ駆動回路１１により電圧が印加され、ＥＶＦ駆動回路１１を介して入力した画像データ（入力画像データ）に対応する画像を生成する。このとき、制御回路４は、ｓＲＧＢ表色系で表される原画像データの色情報に対して、後述する色変換マトリックスを用いたマトリックス変換を施して入力画像データを生成し、液晶パネル１０１の色特性に基づいた色域に適合させる。その結果、液晶パネル１０１は、バックライトとして機能する光源１０２から照射される照射光により表示素子としての機能を実現して、撮像素子２から出力された撮像信号に対応する画像（スルー画）をＥＶＦ１０で観察可能に表示する。
【００１４】
液晶パネル１０１に印加される電圧の値は、液晶パネル１０１の材料等の特性に基づいて、後述する光源１０２へ印加される基準電圧に対応した値（デフォルト電圧）が設定されている。光源１０２は、たとえばＬＥＤ等により構成され、ＥＶＦ駆動回路１１から印加される電圧の値に応じて照射光の輝度を変更可能に照射する。すなわち、ＥＶＦ駆動回路１１は、後述するように、制御回路４からの指示に基づいて、デジタルカメラの周囲の明るさに応じて光源１０２の照明光の輝度を制御する。
【００１５】
表示用ＬＣＤ８は、液晶パネル８０１と光源８０２とを備える。液晶パネル８０１は、たとえば透過型の液晶パネルであり、赤、緑、青のフィルターが形成された複数の画素から構成されている。液晶パネル８０１は、制御回路４からの駆動信号に応じてＬＣＤ駆動回路９により電圧が印加され、ＬＣＤ駆動回路９を介して入力した画像データ（入力画像データ）に対応する画像を生成する。このとき、制御回路４は、原画像データの色情報に対してマトリックス変換を施して入力画像データを生成し、液晶パネル８０１の色特性に基づいた色域に適合させる。その結果、液晶パネル８０１は、バックライトとして機能する光源８０２から照射される照射光により表示素子としての機能を実現して、撮像素子２から出力された撮像信号に対応する画像（撮影画像、スルー画）やメモリカード１３に記録された画像データに対応する再生画像を表示用ＬＣＤ８で観察可能に表示する。
【００１６】
液晶パネル８０１に印加される電圧の値は、後述する光源８０２へ印加される基準電圧に対応して設定されている。光源８０２は、たとえばＬＥＤ等により構成され、ＬＣＤ駆動回路９から印加される電圧の値に応じて照射光の輝度を変更可能に照射する。すなわち、ＬＣＤ駆動回路９は、後述するように、制御回路４からの指示に基づいて、デジタルカメラの周囲の明るさに応じて光源８０２の照明光の輝度を制御する。
【００１７】
次に、ＥＶＦ１０を用いて色変換マトリックスおよびマトリックス変換について説明する。液晶パネル１０１へ入力される入力画像データの画素値を（Ｒ，Ｇ，Ｂ）と、液晶パネル１０１で再現される測色値を（Ｘ，Ｙ，Ｚ）とする。このときの入力画像データの画素値（Ｒ，Ｇ，Ｂ）と液晶パネル１０１の測色値（Ｘ，Ｙ，Ｚ）との関係は、以下の式（１）により表される。ここで、γは液晶パネル１０１の階調特性を表し、Ｍは入力画像データの画素値（Ｒγ，Ｇγ，Ｂγ）から液晶パネル１０１への測色値への変換を表す色変換マトリックスである。（Ｘｋ，Ｙｋ，Ｚｋ）は黒画像を表示した場合の周囲照明も含めた表示面の照明条件を表す。
2010091596.tif 000003
（式１）
【００１８】
そして、Ｒ画像（（Ｒ，Ｇ，Ｂ）＝（１，０，０））、Ｇ画像（（Ｒ，Ｇ，Ｂ）＝（０，１，０））およびＢ画像（（Ｒ，Ｇ，Ｂ）＝（０，０，１））を液晶パネル１０１に表示した画像から、色変換マトリックスＭの３×３のマトリックス係数を決定する。具体的には、Ｒ画像、Ｇ画像およびＢ画像を表示したときの液晶パネル１０１の測色値をそれぞれ、（Ｘｒ，Ｙｒ，Ｚｒ）、（Ｘｇ，Ｙｇ，Ｚｇ）および（Ｘｂ，Ｙｂ，Ｚｂ）とすると、色変換マトリックスは以下の式（２）のようになる。この色変換マトリックスＭは、後述する基準輝度、すなわち光源１０２へ印加する基準電圧の値に対して設定され、所定の記録領域に記録されている。
2010091596.tif 000004
（式２）
なお、Ｍについては、複数のＲ，Ｇ，Ｂの組合せに対し、実際に液晶パネル１０１に表示された色を測定したときのＸ，Ｙ，Ｚの値を用いて、式（１）で変換したＸ，Ｙ，Ｚと実測のＸ，Ｙ，Ｚの色差（CIEL＊ａ＊ｂ＊のような均等色空間における色差）が最小となるように最適化したマトリックスを用いてもよい。
【００１９】
制御回路４は、上記の色変換マトリックスＭを用いて、原画像データに対してマトリックス変換を施して色変換を行い、入力画像データを生成する。原画像の色空間がｓＲＧＢとすれば、原画像データの画素値（Ｒ０，Ｇ０，Ｂ０）に対して、液晶パネル１０１での測色値（Ｘ，Ｙ，Ｚ）は以下の式（３）のようになればよい。なお、ＭｓＲＧＢ→ＸＹＺは規格により定められているｓＲＧＢからＸＹＺへの変換マトリックスである。
2010091596.tif 000005
（式３）
【００２０】
したがって、式（１）、（３）を用いて、液晶パネル１０１への入力画像データの画素値（Ｒ，Ｇ，Ｂ）が以下の式４のように算出される。
2010091596.tif 000006
（式４）
【００２１】
以下、モニタボタン１２０が操作され、スルー画表示を行うモニタとしてＥＶＦ１０が選択された場合について説明する。制御回路４は、上述したように画像データに基づいて算出した周囲輝度に応じて、ＥＶＦ１０の表示輝度（バックライト輝度）、すなわち光源１０２に印加する電圧の値を決定する。図３の周囲輝度とバックライト輝度との関係図に示すように、制御回路４は周囲輝度の上昇に応じて、すなわち周囲が明るいほどバックライト輝度が上昇するように、ＥＶＦ駆動回路１１に駆動信号を出力させる。その結果、光源１０２には、周囲輝度の上昇に応じて大電流を流す。なお、図３における破線で示す周囲輝度に対応するバックライト輝度を基準輝度、すなわち、たとえば蛍光灯照明下の室内でユーザがＥＶＦ１０を観察する際の最適な輝度とする。また、図３に示すデータと印加電圧の値とは、予めルックアップテーブル等の形式でフラッシュメモリ７に記録されている。
【００２２】
光源１０２からの照明光には、輝度に応じて色が変化する特性を示す場合がある。図４に、輝度に応じて照明光の色が変化する様子の一例を示す。図４（ａ）は、彩度と色相とが変化する様子の一例を、CIEL＊ａ＊ｂ＊表色系を用いて輝度方向への変化分を除外して示したものである。図４（ａ）においては、照明光の輝度の上昇に応じて、照明光の彩度と色相は、図の破線で示す矢印の方向Ｂ０→Ｂ１→Ｂ２→Ｂ３→・・・のように変化する。すなわち、照明光の輝度の上昇に伴って、照明光は次第に青味を帯びるようになる。
【００２３】
図４（ｂ）に、基準輝度における照明光の色を基準としたときの輝度の上昇と照明光の色変化（色差ΔＣ）との関係を示す。図４（ｂ）に示すように、照明光の輝度が上昇するに従って、色差ΔＣの変化量が増大する。なお、色差ΔＣは、図４（ａ）のCIEL＊ａ＊ｂ＊表色系を使用して、（ΔＣ＝（ａ２＋ｂ２）１／２）により表される。制御回路４は、照明光の輝度上昇に伴って変化した照明光の色差ΔＣを打ち消すように、原画像データを色変換して入力画像データを生成する。すなわち、制御回路４は、色変換マトリックスＭに対して補正処理を施す。制御回路４は、たとえば光源１０２へ印加する電圧の値に応じて予め設定されている係数を色変換マトリックスＭに掛け合わせることにより、色変換マトリックスＭに対して補正処理を施す。なお、この係数は予め実験、試験等により算出され、光源１０２への印加電圧の値と対応付けられて所定の記録領域に記録されているものとする。
【００２４】
光源１０２からの照明光の輝度が決定されると、制御回路４は、液晶パネル１０１の色域、すなわち液晶パネル１０１へ印加する電圧の値を変更する。液晶パネル１０１へ印加されるデフォルト電圧の値は、上記したように光源１０２へ印加される基準電圧の値に対応して設定されている。すなわち、光源１０２へ基準電圧が印加された場合の照明光の輝度に対応して、液晶パネル１０１に生成される画像が画像データの色情報に示される色を再現するように設定されている。したがって、光源１０２への印加電圧が変更された場合、液晶パネル１０１へ印加する電圧値をデフォルト電圧の値から変更することにより、照明光の輝度の変化に応じて液晶パネル１０１の色特性を変更させる。そのため、制御回路４は、液晶パネル１０１の色特性の変更を打ち消すように、原画像データを色変換して入力画像データを生成する。すなわち、制御回路４は、上述のようにして色変換マトリックスＭに対して補正処理を施す。
【００２５】
補正後の色変換マトリックスＭを用いて入力画像データを生成することにより、光源１０２の輝度変化に応じて液晶パネル１０１に生成される画像に対して、画像データが有する本来の色情報に近い色がＥＶＦ１０で再現されている。しかし、光源１０２の輝度変化により、ユーザの目による画像の色の見え方は変化する。たとえば、花の画像を照明する照明光の輝度が高くなると、ユーザの目には画像上の花の色は本来の色よりも鮮やかになったり、階調がきつくなったように見え方が変化する。したがって、制御回路４は、このような色の見え方の変化を打ち消すように色補正処理を画像データに対して施す。本実施の形態においては、色補正処理として、たとえば画像データの階調、彩度および白色点を補正する。
【００２６】
−階調補正−
制御回路４は、画像データの階調を補正する際に、光源１０２の輝度に応じて画像データのγ変換のトーンカーブを切り換えて選択する。図５に示すような３種類のトーンカーブＣ１〜Ｃ３を予め所定の記録領域に記録しておく。制御回路４は、光源１０２の輝度が高い場合、すなわち光源１０２に高電流を流す場合、カーブ形状の緩やかなトーンカーブＣ１を選択し、光源１０２の輝度が低い場合、すなわち光源１０２へ流す電流が低い場合、カーブ形状の険しいトーンカーブＣ３を選択する。光源１０２の輝度が基準輝度近傍の場合、すなわち光源１０２へ基準電圧に近い値の電圧を印加する場合、制御回路４は、トーンカーブＣ２を選択する。そして、制御回路４は、選択したトーンカーブとなるように画像データの画素値を変換する。その結果、光源１０２の輝度変化に応じて変化した画像の階調の見え方が補正され、ＥＶＦ１０には画像本来の階調に近い見え方で画像が表示される。なお、ライブビューで撮影被写体をＥＶＦ１０に表示している場合は、被写体の実際の輝度に対してＥＶＦ１０で表示される像の輝度が高いときにトーンカーブＣ１が選択され、両者の輝度が同程度のときにトーンカーブＣ２が選択され、ＥＶＦ１０で表示される像の輝度が低いときにトーンカーブＣ３が選択されるとよい。
【００２７】
−彩度補正−
制御回路４は、光源１０２の輝度に応じて、彩度が鮮やかなものから彩度が低いものの間で、段階的に画像データの彩度を補正する。制御回路４は、光源１０２の輝度が高い場合、すなわち光源１０２へ大電流を流す場合には、彩度が低くなるように、画像データのＲ，Ｇ，ＢからＹＣｒＣｂに変換したＣｒ，Ｃｂを補正する。光源１０２の輝度が低い場合、すなわち光源１０２へ印加する電圧が低い場合は、制御回路４は、彩度が鮮やかになるようにＣｒ，Ｃｂを補正する。光源１０２の輝度が基準輝度近傍の場合、すなわち光源１０２へ基準電圧に近い値の電圧を印加する場合、制御回路４は、彩度の補正を行わない。その結果、光源１０２の輝度変化に応じて変化した画像の彩度の見え方が補正され、ＥＶＦ１０には画像本来の彩度に近い見え方で画像が表示される。また、ライブビューで撮影被写体をＥＶＦ１０に表示する場合には、実際の被写体輝度に対しＥＶＦ１０の表示輝度が高いときに彩度を下げるように、逆にＥＶＦ１０の表示輝度が低い場合に彩度を上げるように、Ｃｒ，Ｃｂを補正すればよい。
【００２８】
−白色点補正−
制御回路４は、撮像素子２から出力された撮像信号のＲ，Ｇ，Ｂ各色の色情報に基づいて判断された光源に応じて、画像データのＲ色とＢ色の撮像信号に対するＲゲインとＢゲインとを算出する。そして、制御回路４は、算出したＲゲインとＢゲインとに基づいて、画像データに対して画像処理を施して、画像上の白色の領域が真っ白にならないように補正する。この結果、たとえば夕方に白色の家を撮影した画像をＥＶＦ１０に表示する場合に、光源１０２の輝度変化に応じて補正された色変換マトリックスを用いた色変換処理により画像上の家の色が真っ白になることを防ぎ、画像上の家の色が夕日の影響により赤みを帯びた色となるように補正できる。
【００２９】
制御回路４は、以上のようにして色調節処理が施された画像データに対応する画像をＥＶＦ１０に表示させる。その結果、実際の視環境、すなわち画像撮影時にＥＶＦ１０上の画像を観察したときの色の見え方が、基準となる視環境（たとえば蛍光灯照明下における室内）における画像の色の見え方とほぼ等しくなるように補正される。
【００３０】
モニタボタン１２０が操作され、スルー画表示を行うモニタとして表示用ＬＣＤ８が選択された場合についても、制御回路４は、ＥＶＦ１０において説明した処理と同様の処理を行う。その結果、周囲輝度に基づいて、表示用ＬＣＤ８の表示輝度（バックライト輝度）、および表示用ＬＣＤ８に表示される画像が補正される。さらに、表示用ＬＣＤ８に表示される画像に対して色補正処理が施されて、実際の視環境、すなわち画像撮影時もしくは再生表示時に表示用ＬＣＤ８上の画像を観察したときの色の見え方が、基準となる視環境における画像の色の見え方とほぼ等しくなるように補正される。
【００３１】
以上で説明したデジタルカメラの動作を、図６に示すフローチャートを用いて説明する。図６のフローチャートの各処理を実行するプログラムは、図示しないメモリに記録され、操作部１２のモニタボタン１２０が操作されて操作スイッチ群１６から操作信号を入力すると起動され、制御回路４により実行される。なお、図６のフローチャートにおいては、スルー画表示を行うモニタとしてＥＶＦ１０が選択された場合の処理を示すが、表示用ＬＣＤ８が選択された場合には、制御回路４は表示用ＬＣＤ８に対して同様の処理を施すものとする。
【００３２】
ステップＳ１においては、算出した周囲輝度に基づいて、光源１０２に流す電流の値を決定する。そして、ＥＶＦ駆動回路１１を介して光源１０２に流す電流の値を変更してステップＳ２へ進む。ステップＳ２においては、光源１０２からの照明光の輝度変化に応じて変化した照明光の色差ΔＣを算出してステップＳ３へ進む。
【００３３】
ステップＳ３においては、照明光の色差ΔＣに応じて色変換マトリックスを補正する。そして、補正した色変換マトリックスを用いて原画像データを色変換して入力画像データを生成する。すなわち、原画像データは光源１０２からの照明光の輝度と液晶パネル１０１の特性とに基づいて、色変換が施される。続いて進んだステップＳ４においては、光源１０２の照明光の輝度に応じて、画像データに対して色補正処理を施して処理を終了する。その結果、色変換された入力画像データに対応する画像の見え方が、基準となる視環境における画像の見え方に近づくように、光源１０２からの照明光の輝度に基づいて色変換された入力画像データの色が補正される。
【００３４】
以上で説明した実施の形態のデジタルカメラによれば、以下の作用効果が得られる。
（１）制御回路４は、液晶パネル１０１、８０１の色特性と変更したバックライト輝度に基づいて、原画像データに対してマトリックス変換を施すための色変換マトリックスを補正し、補正後の色変換マトリックスを用いて原画像データを色変換して入力画像データを生成する。そして、制御回路４は、入力画像データに対応する画像の見え方が、基準となる視環境における画像の見え方に近づくように、光源１０２、８０２の輝度に基づいて入力画像データに対して色補正処理を施して、表示される画像の色を補正するようにした。したがって、光源１０２、８０２の輝度変化に対応して色変換マトリックスを補正するので、光源１０２、８０２の輝度変化に伴って変化する照明光の色変化が補正され、画像本来の色情報に近い色を液晶パネル１０１、８０１上で再現できる。さらに、光源１０２、８０２の輝度変化に応じて液晶パネル１０１、８０１に生成される画像の色の見え方が補正され、標準の視環境における画像の見え方や、実際の被写体の見え方に近い画像が表示されるので、画像の色が鮮やか過ぎたり、階調がきつくなり過ぎたように見えることを防ぎ、ユーザに与える違和感を低減できる。
【００３５】
（２）制御回路４は、撮像素子２により取得された画像データを用いてデジタルカメラの周囲輝度を算出し、算出された周囲輝度に応じてバックライト輝度、すなわち光源１０２、８０２へ流す電流を決定するようにした。したがって、周囲輝度に応じてバックライト輝度を変更できる、すなわち周囲が暗い場合はバックライト輝度を下げ、周囲が明るい場合はバックライト輝度を上げることができるので、液晶パネル１０１、８０１に表示された画像の視認性の低下を防ぐことができる。
【００３６】
以上で説明した実施の形態のデジタルカメラを、以下のように変形できる。
（１）撮像素子２で取得された画像データを用いて周囲輝度を算出するものに代えて、ユーザによる撮影条件の設定操作により周囲輝度を求めてもよい。この場合、たとえばユーザが操作部１２を操作して、周囲輝度メニューからデジタルカメラを使用する環境に最も近い環境（たとえば、「昼」、「夕方」、「夜」、「晴れ」、「曇り」等）を撮影条件として選択すればよい。そして、制御回路４は、選択された撮影条件に適したバックライト輝度となるように、周囲輝度メニューと対応付けされて予め記録されている電流を光源１０２、８０２へ流せばよい。
【００３７】
（２）ユーザの操作によりバックライト輝度を所望の輝度に変更可能となるように構成してもよい。この場合、操作部１２は可変ボリューム等を備え、ユーザはこの可変ボリュームを操作することにより、周囲輝度に応じて所望のバックライト輝度となるように補正する。そして、制御回路４は、可変ボリュームにより変更された光源１０２、８０２へ流す電流を読み込み、変更された電流の値に応じて色変換マトリックスを補正すればよい。
【００３８】
（３）デジタルカメラはＥＶＦ１０および表示用ＬＣＤ８の双方を備えるものに限られず、ＥＶＦ１０および表示用ＬＣＤ８の一方を備えるものであってもよい。
【００３９】
（４）液晶モニタを有する表示装置を搭載する携帯電話やＰＤＡなどの携帯型電子機器にも本発明を適用できる。この場合、周囲輝度を算出するためのセンサや、ユーザによる操作を受け付ける操作部を備えることにより、周囲輝度に応じたバックライト輝度を決定すればよい。
【００４０】
（５）液晶パネルと、液晶パネルを照明する光源を備えるプロジェクタ等に対しても本発明を適用できる。この場合、周囲輝度を算出するためのセンサや、ユーザによる操作を受け付ける操作部を備えることにより、周囲輝度に応じたバックライト輝度を決定すればよい。または、プロジェクタによる投影画像の投影面を撮影するための撮像装置を備え、撮像装置により取得された画像データを用いて、周囲輝度を算出するようにしてもよい。
【００４１】
また、本発明の特徴を損なわない限り、本発明は上記実施の形態に限定されるものではなく、本発明の技術的思想の範囲内で考えられるその他の形態についても、本発明の範囲内に含まれる。説明に用いた実施の形態および変形例は、それぞれを適宜組合わせて構成しても構わない。
【図面の簡単な説明】
【００４２】
【図１】実施の形態によるデジタルカメラの背面図
【図２】実施の形態によるデジタルカメラのブロック図
【図３】周囲輝度とバックライト輝度との関係を説明する図
【図４】照明光の輝度変化と照明光の色変化との関係を説明する図
【図５】色補正処理に用いるトーンカーブを示す図
【図６】実施の形態によるデジタルカメラの動作を説明するフローチャート
【符号の説明】
【００４３】
４  制御回路、  ８  表示用ＬＣＤ、  ９  ＬＣＤ駆動回路、
１０  ＥＶＦ、  １１  ＥＶＦ駆動回路、  １２  操作部、
１０１，８０１  液晶パネル、  １０２，８０２  光源
【図１】
2010091596.tif 000007
【図２】
2010091596.tif 000008
【図３】
2010091596.tif 000009
【図４】
2010091596.tif 000010
【図５】
2010091596.tif 000011
【図６】
2010091596.tif 000012